(57)【要約】【課題】  １体で様々なかぶりに適用できる鉄筋工事用スペーサーを提供する。【解決手段】  型枠７に当接するためのブロック２と、ブロック２の当接側とは反対面に突設した支持棒３と、支持棒３が挿入できる幅の二股状で上面にボルト穴４ａが開口され両脚片に横向きの鉄筋６を支持棒３と直交方向に配置できる凹所４ｂ及び小凹所４ｃが形成された受け具４と、受け具４のボルト穴４ａに螺合して鉄筋６を支持棒３とともに凹所４ｂ又は小凹所４ｃに圧接して固定する固定ボルト５とで構成する。ブロック２の先端を型枠７に当てて支持棒３を鉄筋６の上面に配置し、受け具４を支持棒３の上方から跨ぐように挿入して凹所４ｂ又は小凹所４ｃに鉄筋６を配置し、固定ボルト５を受け具４のボルト穴４ａに螺合して鉄筋６を支持棒３とともに凹所４ｂ又は小凹所４ｃに圧接して固定する。【選択図】  図１
0003150525.tif 000002
【実用新案登録請求の範囲】
【請求項１】
鉄筋工事において型枠と鉄筋との間の間隔を一定に保持する鉄筋工事用スペーサーであって、型枠に当接するためのブロックと、ブロックの当接側とは反対面に突設した支持棒と、支持棒が挿入できる幅の二股状で上面にボルト穴が開口され両脚片に横向きの鉄筋を支持棒と直交方向に配置できる凹所が形成された受け具と、受け具のボルト穴に螺合して鉄筋を支持棒とともに凹所に圧接して固定する固定ボルトとで構成したことを特徴とする、鉄筋工事用スペーサー。
【請求項２】
支持棒が、その長手辺に鉄筋と型枠との間の間隔を計る目盛りを形成したものである、請求項１記載の鉄筋工事用スペーサー。
【請求項３】
支持棒が平板状で、その途中に開口を部分的に形成したものである、請求項１又は２記載の鉄筋工事用スペーサー。
【請求項４】
受け具が、凹所の底部に別の小径の鉄筋を配置できる小凹所が形成されたものである、請求項１〜３いずれか記載の鉄筋工事用スペーサー。
【請求項５】
ブロックがコンクート製又はモルタル製である、請求項１〜４いずれか記載の鉄筋工事用スペーサー。
【考案の詳細な説明】
【技術分野】
【０００１】
本考案は、鉄筋工事において、型枠と鉄筋との間の間隔（以下「かぶり」という）を一定に保持するスペーサーに関する。
【背景技術】
【０００２】
従来の鉄筋工事用スペーサーが特許文献１〜３に開示されている。特許文献１の技術は、型枠に当接するためのブロックと、ブロックの当接側とは反対面に突設した支持棒と、支持棒の側端に固着したＪ型アームと、Ｊ型アームの先端に固着したナットと、ナットに螺合するボルトとで構成したことを特徴とし、横向きの鉄筋と型枠との間にブロックを挿入してＪ型アームを横向きの鉄筋に掛合し、その鉄筋をボルトで固定することで、かぶりを一定に保持できるようにしたものである。
【０００３】
特許文献２の技術は、型枠に当接するためのブロックと、ブロックの当接側とは反対面に突設して下方へ折曲したフック部を有する支持棒と、支持棒の下端を直角に折曲した係止部とで構成したことを特徴とし、横向きの鉄筋と型枠との間にブロックを上方から挿入して支持棒のフック部を横向きの鉄筋に嵌合し、支持棒の係止部を縦向きの鉄筋に係止することで、かぶりを一定に且つ強固に保持できるようにしたものである。
【０００４】
特許文献３の技術は、型枠に当接するためのブロックと、ブロックの当接側とは反対面から上下に突設した折り曲げ可能な鉄線と、鉄線の下端を直角に折曲した係止部とで構成したことを特徴とし、横向きの鉄筋と型枠との間にブロックを上方から挿入し、上側の鉄線を折り曲げて横向きの鉄筋に巻き付け、下側の鉄線の係止部を折り曲げて縦向きの鉄筋に巻き付けることで、かぶりを一定に且つ強固に保持できるようにしたものである。
【０００５】
ところで、前記技術の鉄筋工事用スペーサーは、いずれもかぶりが一種類に固定されるものであるから、かぶりが異なる箇所に使用する場合は、そのかぶりに応じた寸法のスペーサーを個別に準備する必要があり、コストがかかる問題があった。
【先行技術文献】
【特許文献】
【０００６】
【特許文献１】特開２００４−１３７８６９号公報
【特許文献２】特開２００４−２７０４３１号公報
【特許文献３】特開２００６−２５１０号公報
【考案の概要】
【考案が解決しようとする課題】
【０００７】
本考案が解決しようとする課題は、従来のこれらの問題点を解消し、１体で様々なかぶりに適用できる鉄筋工事用スペーサーを提供することにある。
【課題を解決するための手段】
【０００８】
かかる課題を解決した本考案の構成は、
１）  鉄筋工事において型枠と鉄筋との間の間隔を一定に保持する鉄筋工事用スペーサーであって、型枠に当接するためのブロックと、ブロックの当接側とは反対面に突設した支持棒と、支持棒が挿入できる幅の二股状で上面にボルト穴が開口され両脚片に横向きの鉄筋を支持棒と直交方向に配置できる凹所が形成された受け具と、受け具のボルト穴に螺合して鉄筋を支持棒とともに凹所に圧接して固定する固定ボルトとで構成したことを特徴とする、鉄筋工事用スペーサー
２）  支持棒が、その長手辺に鉄筋と型枠との間の間隔を計る目盛りを形成したものである、前記１）記載の鉄筋工事用スペーサー
３）  支持棒が平板状で、その途中に開口を部分的に形成したものである、前記１）又は２）記載の鉄筋工事用スペーサー
４）  受け具が、凹所の底部に別の小径の鉄筋を配置できる小凹所が形成されたものである、前記１）〜３）いずれか記載の鉄筋工事用スペーサー
５）  ブロックがコンクート製又はモルタル製である、前記１）〜４）いずれか記載の鉄筋工事用スペーサー
にある。
【考案の効果】
【０００９】
本考案では、ブロックの先端を型枠に当てて支持棒を鉄筋の上面に配置し、受け具を支持棒の上方から跨ぐように挿入して受け具の凹所に鉄筋を配置し、受け具を支持棒に沿ってスライドさせてかぶりを正確に調節し、その後固定ボルトを受け具のボルト穴に螺合して鉄筋を支持棒とともに凹所に圧接して固定する。このように、取り付ける前の状態では、鉄筋の固定位置が変更できる構造となっているから、かぶりが異なる場合は受け具を支持棒に沿ってスライドさせることで鉄筋を任意の位置で固定でき、１体で様々なかぶりに対応できるようになる。
【図面の簡単な説明】
【００１０】
【図１】実施例の鉄筋工事用スペーサーの斜視図である。
【図２】実施例の鉄筋工事用スペーサーの取り付け順を示す説明図である。
【図３】実施例の他の例の鉄筋工事用スペーサーの斜視図である。
【考案を実施するための形態】
【００１１】
本考案では、前記２）記載の構成を具備すると、取り付け時に定規等を用意することなくかぶりを容易に調節できる。前記３）記載の構成を具備すると、コンクリートの打設時にコンクリートが支持棒の開口を流通し、凝固後にコンクリートと支持棒を強固に一体化できる。支持棒としては平板状のものや鉄筋等が用いられる。前記４）記載の構成を具備すると、１体で異なる外径の鉄筋を配置できる。前記５）記載の構成を具備すると、コンクリートの打設後に鉄筋を防錆できる。
【実施例】
【００１２】
以下、本考案の実施例を図面に基づいて具体的に説明する。図１は実施例の鉄筋工事用スペーサーの斜視図、図２は実施例の鉄筋工事用スペーサーの取り付け順を示す説明図、図３は実施例の他の例の鉄筋工事用スペーサーの斜視図である。図中、１は鉄筋工事用スペーサー、２はブロック、２ａは当接面、３は支持棒、３ａは目盛り、３ｂは開口、４は受け具、４ａはボルト穴、４ｂは凹所、４ｃは小凹所、５は固定ボルト、６は鉄筋、７は型枠である。
【００１３】
本実施例の鉄筋工事用スペーサー１を図１に示す。ブロック２は三角形状のコンクリート製で、先端に円弧状の当接面２ａが形成されている。寸法は長さ１２０ｍｍ、幅９０ｍｍ、厚さ５０ｍｍである。支持棒３は金属製で、長手辺に目盛り３ａが形成され、途中に開口３ｂが部分的に形成されている。目盛り３ａはブロック２の先端を基準にして１０ｍｍ間隔に形成されている。寸法は長さ２５０ｍｍ、幅２４ｍｍ、厚さ７ｍｍで、ブロック２の成形時に一体的に突設されている。
【００１４】
受け具４は支持棒３が挿入できる幅の二股状の金属製で、上面に固定ボルト５を螺合するためのボルト穴４ａが開口され、両脚片はフック状に切り欠いて横向きの鉄筋６を側方から挿入して配置するための凹所４ｂが形成され、更にその凹所４ｂの底部に小径の鉄筋６を配置するための小凹所４ｃが形成されている。寸法は長さ４５ｍｍ、高さ７０ｍｍ、幅３５ｍｍである。
【００１５】
本実施例の鉄筋工事用スペーサー１の取り付け順を図２に基づいて説明する。
１）型枠７を構築して鉄筋６を縦横に配筋する。
２）ブロック２の当接面２ａを型枠７に当て、支持棒３を鉄筋６の上面に配置する（図２（ａ）参照）。
３）ボルト５を外した状態（又は緩めた状態）の受け具４を支持棒３の上方から跨ぐように挿入し、その受け具４の凹所４ｂ又は小凹所４ｃに鉄筋６を側方から挿入して配置する（図２（ｂ）参照）。この例では小凹所４ｃに鉄筋６を配置している。
４）かぶりを支持棒３の目盛り３ａで確認し、規定値からずれている場合は受け具４を支持棒３に沿ってスライドさせて調節する。
５）固定ボルト５を受け具４のボルト穴４ａに螺合し、鉄筋６を支持棒３とともに小凹所４ｃに圧接して固定する（図２（ｃ）参照）。
６）コンクートを打設する。
【００１６】
このように、取り付ける前の状態では、鉄筋６の固定位置が変更できる構造となっているから、かぶりが異なる場合は受け具４を支持棒３に沿ってスライドさせることで鉄筋６を任意の位置で固定できる。したがって、１体で様々なかぶりに対応でき、鉄筋工事のコストを低減できる。
【００１７】
図３に示すのは、実施例の鉄筋工事用スペーサー１の他の例である。この例は、支持棒３が小径の鉄筋で構成され、その表面にブロック２の先端を基準にした目盛り３ａが１０ｍｍ間隔に形成されている。この例の鉄筋工事用スペーサー１は、実施例と比較して低コストで製作できる。その他、符号、構成、取り付け方法、作用効果は実施例と同じである。
【産業上の利用可能性】
【００１８】
本考案の技術は鉄筋工事に利用される。
【符号の説明】
【００１９】
１  鉄筋工事用スペーサー
２  ブロック
２ａ  当接面
３  支持棒
３ａ  目盛り
３ｂ  開口
４  受け具
４ａ  ボルト穴
４ｂ  凹所
４ｃ  小凹所
５  固定ボルト
６  鉄筋
７  型枠
【図１】
0003150525.tif 000003
【図２】
0003150525.tif 000004
【図３】
0003150525.tif 000005